(57)【要約】【課題】ロック手段の不用意なロック及びロック解除を防止し、片手での操作が容易である剪定鋏の提供。【解決手段】上刃部と第一操作部とを有する第一構成部と、下刃部と第二操作部とを有する第二構成部と、第一構成部と第二構成部とを軸着する主軸部と、上下刃部を開刃付勢する主弾性部と、上下刃部を閉刃状態で固定するロック手段を有し、ロック手段は、第一構成部又は第二構成部に設けられた主係合部と、該主係合部に係脱可能なロック板とを有し、第一構成部又は第二構成部は少なくとも一つの構成部側係合部を備え、ロック手段が前記主係合部から離脱した状態でロック板をロックする第一の補助ロック部と、ロック手段が前記主係合部に係止した状態でロック板をロック可能とする第二の補助ロック部とを有する剪定鋏。【選択図】図１
2020039297.tif 000002
【特許請求の範囲】
【請求項１】
上刃部（３）と第一操作部（１）とを有する第一構成部（Ｓ１）と、
下刃部（４）と第二操作部（２）とを有する第二構成部（Ｓ２）と、
前記第一構成部（Ｓ１）と前記第二構成部（Ｓ２）とを軸着するための主軸部（５）と、
前記上刃部（３）と下刃部（４）を開刃するように付勢する主弾性部（７）と、
前記上刃部（３）と下刃部（４）を閉刃状態で固定するためのロック手段（６）を有し、
当該ロック手段（６）は、前記第一構成部（Ｓ１）若しくは第二構成部（Ｓ２）に設けられた主係合部（３１）と、該主係合部（３１）に係脱可能なロック板（６０）とを有するメインロック機構を備えた剪定鋏（Ｓ）において、
前記第一構成部（Ｓ１）又は第二構成部（Ｓ２）は少なくとも一つの構成部側係合部（４２）を備え、
前記ロック手段（６）が前記主係合部（３１）から離脱した状態で、前記第一構成部（Ｓ１）又は第二構成部（Ｓ２）と前記ロック板（６０）とが相互に係合する第一の補助ロック部と、
前記ロック手段（６）が前記主係合部（３１）に係止した状態で、第一構成部（Ｓ１）又は第二構成部（Ｓ２）における前記構成部側係合部（４２）と前記ロック板（６０）とが相互に係合可能である第二の補助ロック部と、を有することを特徴とする剪定鋏。
【請求項２】
前記第一の補助ロック部は、ロック板（６０）と前記構成部側係合部（４２）との係合が、ロック板（６０）の側方への傾斜若しくは移動によって解除されることを特徴とする請求項１に記載の剪定鋏。
【請求項３】
前記第二の補助ロック部は、ロック板（６０）と前記構成部側係合部（４２）との係合が、ロック板（６０）の側方への傾斜若しくは移動によって解除されることを特徴とする請求項１又は２記載の剪定鋏。
【請求項４】
前記ロック手段（６）は、前記ロック板（６０）を回動させるロック軸部（６１）と、該ロック軸部（６１）の軸方向に弾性力を有する弾性体（６２）を備え、
前記ロック板（６０）には、前記ロック軸部（６１）による回動方向の移動を停止させるためのロック板係合部を備え、
前記ロック板（６０）は前記弾性体（６２）による弾性力に抗する軸方向への移動が許容されており、
前記上刃部（３）と下刃部（４）との開刃状態では、前記第一の補助ロック部として、ロック板係合部（６０ａ）と前記構成部側係合部（４２）が係合しており、
前記上刃部（３）と下刃部（４）との閉刃状態では、前記第二の補助ロック部として、ロック板（６０）と主係合部（３１）が係合しており、且つ、ロック板係合部（６０ｂ）と前記構成部側係合部（４２）が係合可能であることを特徴とする請求項１、２又は３記載の剪定鋏。
【請求項５】
前記ロック手段（６）における弾性体（６２）がコイルスプリングであり、コイルスプリングの中心軸を前記軸部の中心軸と一致させて配置したことを特徴とする請求項４に記載の剪定鋏。
【請求項６】
前記コイルスプリングと軸部との間に筒体を介装させたことを特徴とする請求項５に記載の剪定鋏。
【請求項７】
前記ロック板（６０）の軸方向への移動量を、第一の補助ロック部の係脱が可能な移動量を確保しつつ当該ロック板（６０）の回動方向への移動を案内する規制ガイド部（２０）を備えることを特徴とする請求項１、２、３、４、５又は６記載の剪定鋏。
【発明の詳細な説明】
【技術分野】
【０００１】
本発明は、木の枝等の剪定に使用される剪定鋏に関し、特には、上刃と下刃の閉刃状態を保持するロック（メインロック）手段を有する剪定鋏に関する。
【背景技術】
【０００２】
従来、木の枝等の剪定等を行う際に、切断操作を片手で行うことが容易な剪定鋏が多用されている。当該剪定鋏は、多くの場合、枝の切断を連続的に行い易くするために二本の柄の間にコイルスプリング等の弾性部を介在させ、通常状態において開刃状態が維持できるように構成されている。
一方で、当該開刃状態では刃先が剥き出しになり、安全性等に問題を生じやすいことから、当該安全性を確保すべく、閉刃状態を保持するためのロック機構を備える構成とすることが一般的である。
【０００３】
ロック機構は、種々の構成のものが公知であるが、例えば二本の柄のいずれか一方の後端に枠状等のロック手段を備え、当該一方の柄と他方の柄とを固定して閉刃状態のロックを実現するものがある（例えば、特許文献１参照。）。
しかしながら当該ロック機構は片手で操作することができず、剪定作業中にロック機構を使用したい場合等においては非常に不便となる欠点がある。
【０００４】
このような観点から、ロック手段が親指で容易に操作可能な範囲で且つ剪定鋏本体から突出した構成を有するものがある。例えば、アンビル刃を備える剪定鋏であって、二つの刃体をセンタービスで軸着する鋏において、一方の刃体には太径のストレート孔を、他方の刃体にはネジ孔を穿設し、ストレート軸部の先方に螺子部を形成したセンタービスを一方の刃体のストレート孔から貫通させて他方の刃体の螺子穴に螺合せしめ、該ネジ孔から突出するセンタービスの螺子部の先端部分に緩み止め手段を有するナットを螺着するとともに、刃体のストレート孔には刃体の厚みの範囲の長さを有しストレート孔には刃体の厚みの範囲の長さを有しストレート孔に密嵌されセンタービスのストレート軸部が回動自在に勧誘されるスリーブ部分と、刃体の表面に支受される鍔部と、皿状としたセンタービスの頭部を支受するテーパー状のビス受面を有する合成樹脂製のテーパースリーブワッシャーを装着し、二つの刃体をロック可能とした剪定鋏（例えば、特許文献２参照。）が公知である。
【０００５】
また、過去に出願人が意匠性に優れた創作物として開示した園芸鋏であって、バイパス刃を構成する上刃と下刃とを閉刃状態にてロックレバーでロック可能とした構成を有する園芸鋏（例えば、特許文献３参照。）が公知である。
【先行技術文献】
【特許文献】
【０００６】
【特許文献１】特許第３７１２９７３号公報
【特許文献２】実開昭６３−４８４４８
【特許文献３】意匠登録第１１１１４９９号公報
【発明の概要】
【発明が解決しようとする課題】
【０００７】
ところで、農場等で日常的に連続使用されるような、いわゆるプロフェッショナルユースのように使用頻度の高い状況下においては、ロック機構を有する剪定鋏の使用の都度、そのロック操作及びロック解除操作をすることは煩雑であることから、当該ロック機構を使用することなく、両グリップを握持して閉刃状態としたまま専用の鞘体（ケース）に一時的に収納することがある。
この場合には、前記専用の鞘体によって剪定鋏は閉刃状態が維持されており、剪定鋏のロック機構自体は使用されていないから、剪定鋏は取り出した状態ですぐに使用可能な状態となり利便性がある。このような場合には、鞘体がロック手段として機能することになる。
【０００８】
しかし、鞘体から取り出した状態でロック機構がない場合には、上述したように開刃状態が維持されており、安全性の観点から問題が残る。
このため、鞘体を用いる場合であっても、ロック手段を備えた剪定鋏が用いられ、必要に応じて、鞘体から取り出した状態でもロックを行うことがされている。
【０００９】
ここで、例えば上記特許文献２、３のように、ロック手段が親指で操作可能な範囲で且つ剪定鋏本体から突出した構成を有するものは、ロック及び解除の操作自体は行いやすいものの、鞘体内に収納する際には、ロック手段が鞘体と接触することで自然にロックがかかることがある。
【００１０】
即ち、ロック機構を使用することなく閉刃状態として、前記鞘体に一時的に収納した後に、続けて速やかに使用すべく鞘体から当該剪定鋏を取り出したところ、意に反しロックがかかっていると、想定外のロック解除操作を行わなければならず、円滑な剪定作業が妨げられることとなり、不便である。
【００１１】
また、ロックした状態で前記鞘体に収納した後、取り出しの際にロック手段が鞘体に接触することで、不用意にロックが外れることがある。
即ち、安全性を考慮して剪定鋏をロックしていたにもかかわらず、ロックが解除されていることは安全上問題がある。このため、より安全性の高いロック機構を有する剪定鋏を提供することが求められている。
【００１２】
また、本出願人が先にした上記特許文献３は、上記事情に加え、バイパス刃を備える剪定鋏専用のロック手段であり、アンビル刃を備える剪定鋏には適用できない構成であった。即ち、バイパス刃の閉刃後のロック位置は、切断対象物の切断完了位置から更に閉刃操作を行った位置であり、当該構成は、切断対象物の切断完了位置でロックするアンビル刃とは異なり、そのままではアンビル刃への適用ができないものであった。このため、バイパス刃、アンビル刃を問わず、上記課題が解決できることが望ましい。
【００１３】
本発明は、閉刃状態のロック手段を有する剪定鋏において、不用意なロック、及び不用意なロック解除を防止でき、プロフェッショナルユースに対応でき、片手でのロック及びロック解除操作が容易であり、安全性にも優れた、剪定鋏の提供を、発明が解決しようとする課題とする。
【００１４】
また本発明は、上記課題に加え、バイパス刃に限らずアンビル刃であっても、適用可能な剪定鋏の提供を、発明が解決しようとする課題とする。
【００１５】
本発明は、以上の事情に鑑みてなされたものであり、上刃部と第一操作部とを有する第一構成部と、下刃部と第二操作部とを有する第二構成部と、前記第一構成部と前記第二構成部とを軸着するための主軸部と、前記上刃部と下刃部を開刃するように付勢する主弾性部と、前記上刃部と下刃部を閉刃状態で固定するためのロック手段を有し、当該ロック手段は、前記第一構成部若しくは第二構成部に設けられた主係合部と、該主係合部に係脱可能なロック板とを有するメインロック機構を備えた剪定鋏において、前記第一構成部又は第二構成部は少なくとも一つの構成部側係合部を備え、前記ロック手段が前記主係合部から離脱した状態で、前記第一構成部又は第二構成部と前記ロック板とが相互に係合する第一の補助ロック部と、前記ロック手段が前記主係合部に係止した状態で、第一構成部又は第二構成部における前記構成部側係合部と前記ロック板とが相互に係合可能である第二の補助ロック部と、を有することを特徴とする剪定鋏を、上記課題を解決するための手段とする。
【００１６】
また本発明は、上記発明の構成を前提として、前記第一の補助ロック部は、ロック板と前記構成部側係合部との係合が、ロック板の側方への傾斜若しくは移動によって解除されることを特徴とする剪定鋏を、上記課題を解決するための手段とする。
【００１７】
また本発明は、上記いずれかの発明の構成を前提として、前記第二の補助ロック部は、ロック板と前記構成部側係合部との係合が、ロック板の側方への傾斜若しくは移動によって解除されることを特徴とする剪定鋏を、上記課題を解決するための手段とする。
【００１８】
また本発明は、上記いずれかの発明の構成を前提として、前記ロック手段は、前記ロック板を回動させるロック軸部と、該ロック軸部の軸方向に弾性力を有する弾性体を備え、前記ロック板には、前記ロック軸部による回動方向の移動を停止させるためのロック板係合部を備え、前記ロック板は前記弾性体による弾性力に抗する軸方向への移動が許容されており、前記上刃部と下刃部との開刃状態では、前記第一の補助ロック部として、ロック板係合部と前記構成部側係合部が係合しており、前記上刃部と下刃部との閉刃状態では、前記第二の補助ロック部として、ロック板と主係合部が係合しており、且つ、ロック板係合部と前記構成部側係合部が係合可能であることを特徴とする剪定鋏を、上記課題を解決するための手段とする。
【００１９】
また本発明は、上記のロック手段に弾性体を有する発明の構成を前提として、当該弾性体がコイルスプリングであり、コイルスプリングの軸を前記軸部の軸と一致させて配置したことを特徴とする剪定鋏を、上記課題を解決するための手段とする。
【００２０】
また本発明は、上記弾性体をコイルスプリングとした発明について、前記コイルスプリングと軸部との間に筒体を介装させたことを特徴とする剪定鋏を、上記課題を解決するための手段とする。
【００２１】
また本発明は、上記いずれかの発明の構成を前提として、前記ロック板の軸方向への移動量を、第一の補助ロック部の係脱が可能な移動量を確保しつつ当該ロック板の回動方向への移動を案内する規制ガイド部を備えることを特徴とする剪定鋏を、上記課題を解決するための手段とする。
【発明の効果】
【００２２】
本発明によれば、上刃部と第一操作部とを有する第一構成部と、下刃部と第二操作部とを有する第二構成部と、前記第一構成部と前記第二構成部とを軸着するための主軸部と、前記上刃部と下刃部を開刃するように付勢する主弾性部と、前記上刃部と下刃部を閉刃状態で固定するためのロック手段を有し、当該ロック手段は、前記第一構成部若しくは第二構成部に設けられた主係合部と、該主係合部に係脱可能なロック板とを有するメインロック機構を備えた剪定鋏において、前記第一構成部又は第二構成部は少なくとも一つの構成部側係合部を備え、前記ロック手段が前記主係合部から離脱した状態で、前記第一構成部又は第二構成部と前記ロック板とが相互に係合する第一の補助ロック部と、前記ロック手段が前記主係合部に係止した状態で、第一構成部又は第二構成部における前記構成部側係合部と前記ロック板とが相互に係合可能である第二の補助ロック部と、を有することから、前記メインロックを行うことなく、閉刃状態として鞘体に収納する場合には、前記第一の補助ロック部によって前記ロック板がロックされているから、収納の際及び取り出しの際に、ロック手段とが鞘体に接触しても、意に反するメインロックが生じることがなく、鞘体から当該剪定鋏を取り出した後、メインロックの解除を行うことなく、剪定鋏を使用することができる。
また、鞘体に剪定鋏を収納する際に、メインロックを行ってから当該剪定鋏を収納する場合には、ロック手段が鞘体に接触しても意に反するメインロックの解除が生じることがないから、鞘体から剪定鋏を取り出した後、安全にメインロックを解除して、剪定鋏を使用することができる。
【００２３】
また本発明は、上記発明の構成を前提として、前記第一の補助ロック部は、ロック板と前記構成部側係合部との係合が、ロック板の側方への傾斜若しくは移動によって解除される剪定鋏とすることによって、上記発明の作用効果を奏する上に、メインロックを行いたい場合に、指でロック板を側方へ傾斜若しくは移動させつつ前方へ回動させることによって、簡単な一連の操作により前記第一の補助ロックを解除しつつメインロックを行うことができ、第一の補助ロックの解除に手間をかけることなく簡単にメインロックを行うことができる利点を有する。
【００２４】
また本発明は、上記いずれかの発明の構成を前提として、前記第二の補助ロック部は、ロック板と前記構成部側係合部との係合が、ロック板の側方への傾斜若しくは移動によって解除される剪定鋏としたことから、上記いずれかの発明の作用効果を奏する上に、メインロックの解除を行いたい場合に、指でロック板を側方へ傾斜若しくは移動させつつ後方へ回動させることによって、簡単な一連の操作により前記第二の補助ロックを解除しつつメインロックを解除することができ、第二の補助ロックの解除に手間をかけることなく簡単にメインロックの解除をおこなうことができる。
【００２５】
また請求項４に係る発明は、上記発明の構成を前提として、前記ロック手段は、前記ロック板を回動させるロック軸部と、該ロック軸部の軸方向に弾性力を有する弾性体を備え、前記ロック板には、前記ロック軸部による回動方向の移動を停止させるためのロック板係合部を備え、前記ロック板は前記弾性体による弾性力に抗する軸方向への移動が許容されており、前記上刃部と下刃部との開刃状態では、前記第一の補助ロック部として、ロック板係合部と前記構成部側係合部が係合しており、前記上刃部と下刃部との閉刃状態では、前記第二の補助ロック部として、ロック板と主係合部が係合しており、且つ、ロック板係合部と前記構成部側係合部が係合可能であることとした場合には、第一の補助ロック部として、ロック板係合部と構成部側係合部を用い、第二の補助ロック部として、ロック板係合部と構成部側係合部を用いることで、上記発明と共通する作用効果を得ることができる。
【００２６】
また本発明は、上記弾性体を有する発明の構成を前提として、前記ロック手段における弾性体がコイルスプリングであり、コイルスプリングの軸を前記軸部の軸と一致させて配置したこと剪定鋏とした場合には、上記いずれかの発明の作用効果を奏する上に、構成をコンパクト且つ低廉に実現することができる利点を有する。
【００２７】
また本発明は、上記弾性体としてコイルスプリングを用いた構成について、前記コイルスプリングと軸部との間に筒体を介装させたことによって、コイルスプリングが筒体に沿って安定的に伸縮動作できることから、ロック及びロック解除に伴うロック板の動きをより円滑かつ安定させることが可能である。
【００２８】
また請求項７に係る発明は、上記いずれかの発明の構成を備えた上で、前記ロック板の軸方向への移動量を、第一の補助ロック部の係脱が可能な移動量を確保しつつ当該ロック板の回動方向への移動を案内する規制ガイド部を備えた構成としたことから、上記いずれかの発明の作用効果を奏する上に、規制ガイド部に沿うようにロック板を移動させることができるため、回動方向への円滑な移動を図ることができる。
【図面の簡単な説明】
【００２９】
【図１】本実施例に係る剪定鋏の（ａ）正面図（説明上の右側面を表示）、（ｂ）は（ａ）における囲み枠部分の拡大図である。
【図２】本実施例に係る剪定鋏の（ａ）開刃状態を示す斜視図、（ｂ）閉刃状態を示す斜視図である。
【図３】本実施例に係る剪定鋏の補助ロック部の組立前の状態を示す一部断面とした説明図である。
【図４】本実施例に係る剪定鋏の（ａ）閉刃状態における平面図（説明上の上面を表示）、（ｂ）は（ａ）における囲み枠部分の拡大図である。
【図５】（ａ）は図４（ｂ）に対応する開刃状態における拡大図、（ｂ）は（ａ）に対応するロック板を側方へ移動させた状態を示す拡大図である。
【図６】図５（ｂ）に示した状態からロック板を前方へ移動させた状態を示す拡大図である。
【図７】（ａ）は図１（ｂ）に対応して一部断面とした開刃状態のロック部を示す一部断面とした拡大図、（ｂ）閉刃状態のロック部を示す一部断面とした拡大図である。
【図８】開刃状態のロック部を、閉刃状態においてロック状態とする順序を示した説明図であり、（ａ）開刃状態におけるロック板の係合穴と突起とが係合した状態を示す説明部分断面図、（ｂ）閉刃後メインロックをかけるためにロック片を側方へ移動させて（矢印ａ１）前記係合穴を突起から離脱させ、前方へ回動させる状態（矢印ａ２）を示す説明部分断面図である。
【図９】開刃状態のロック部を、閉刃状態においてロック状態とする順序を示した説明図であり、閉刃状態においてロック板の係合後縁部と前記突起が当接し、ロックがされた状態における説明部分断面図、
【図１０】構成部側係合部（突起）の変形例（ａ）〜（ｄ）を例示する斜視図である。
【図１１】本発明の他の実施例に係る剪定鋏の補助ロック部の組立前の状態を示す説明図である。
【図１２】（ａ）本発明の更に他の実施例に係る剪定鋏の補助ロック部の組立前の状態を示す説明図，（ｂ）同実施例における下刃体４０を示す平面図である。
【発明を実施するための形態】
【００３０】
以下に本発明の実施例に係る剪定鋏Ｓについて説明する。尚、本発明の範囲は、以下の実施例に限定されるものではなく、種々の変形、設計変更等、本発明の開示する技術的思想の範囲内に及ぶ。
【実施例１】
【００３１】
本発明の実施例に係る剪定鋏Ｓは、図１、図２に示すように、上刃部３を有する第一構成部Ｓ１と、下刃部４を有する第二構成部Ｓ２と、当該第一構成部Ｓ１と前記第二構成部Ｓ２とを軸着するための主軸部５と、前記上刃部３と下刃部４とを開刃方向に付勢する主弾性部７と、前記上刃部３と下刃部４とを閉刃状態で保持するためのロック部（ロック手段）６を備えている。
【００３２】
前記第一構成部Ｓ１は、前記上刃部３と第一操作部１を連結して構成したものである。前記上刃部３は、第一の刃まち部３３とその先端側に連続する上刃体３０と、前記第一の刃まち部３３の後端側に連続する第一の中子部３２とを備えている。
第一の刃まち部３３は、前記主軸部５を通すための軸穴部と、ロック部６を構成するための主係合部３１を有する。当該主係合部３１は、切欠として構成されている。尚、前記第一の中子部３２には取付穴３２０を有している。
【００３３】
第一操作部１は、第一グリップ部１０とその前方に連続する第一接続部１１とを有する。
第一接続部１１の前端側には、前記第一の中子部３２を嵌入するための第一間隙部１１０と、当該第一の中子部３２の取付穴３２０を通して連結するための螺子固定用穴１１１を有している。
【００３４】
第一の中子部３２は第一接続部１１の前端側の第一間隙部１１０から差し込まれ、前記取付穴３２０、螺子固定用穴１１１が一致した状態で、取付螺子８０及びナット８１により固定されている。
また第一接続部１１の上部には、主弾性部７であるコイルスプリングの一端を固定するための接続用弾性体１１２を備えている。
【００３５】
前記第二構成部Ｓ２は、下刃部４と第二操作部２を備えている。
前記下刃部４は、第二の刃まち部４４とその先端側に連続する下刃体４０と、前記第二の刃まち部４４の後端側に連続する第二の中子部４３とを有する。尚、前記第第二の中子部４３には取付穴４３０を有している。
【００３６】
第二操作部２は、第二グリップ２０とその前方に連続する第二接続部２１とを有する。第二接続部２１の前端側には、前記第二の中子部４３を嵌入するための第二間隙部２２と、当該第二の中子部４３の取付穴４３０を通して連結するための螺子固定用穴２３とを有している。
【００３７】
第二間隙部２２には、図４（ｂ）に示すように、下刃部４と規制ガイド部２４との間（幅寸法ｗ１で示されるロック板可動空間２２０）にロック板６０が、回動操作を可能として設けられている。当該第二間隙部２２のうち、前記下刃部４と規制ガイド部２４との間の前記幅寸法ｗ１は、ロック板６０の厚み寸法ｗ２に加え、当該ロック板６０の幅方向への移動量を確保するために前記第二間隙部２２への幅方向寸法を拡大したクリアランスｔ２を有している。前記規制ガイド部２４は、前記ロック板６０の回動操作を案内可能とする。
【００３８】
前記第二の中子部４３は第二接続部２１の前端側の第二間隙部２２から差し込まれ、前記取付穴４３０、螺子固定用穴２３が一致した状態で、取付螺子８０及びナット８１により固定されている。
【００３９】
また第二接続部２１の下部には、主弾性部７である前記コイルスプリングの他端を固定するための接続用弾性体２１０を備えている。
前記接続用弾性体１１２、２１０の間には、主弾性部７であるコイルスプリングが取着されている。当該コイルスプリングはばね弾性によって、上刃部３と下刃部の開刃方向に付勢する。
【００４０】
前記ロック部６は、基本的には、閉刃状態とした第一構成部Ｓ１及び第二構成部Ｓ２のロック（以下、「メインロック」Ｌという。）とその解除を行うものである。当該ロック部６は、ロック軸部６１を中心として一定範囲で揺動可能なロック板６０と、上記第一の刃まち部３３において切欠として構成される主係合部３１とを有しており、当該ロック板６０と主係合版３１との係合により、上記メインロックＬを可能とする。
【００４１】
そして、本願発明においては、上記メインロックＬとは別に、前記ロック板６０自体のロックを係合手段によって補助ロック部Ｌ１、Ｌ２を有する。補助ロック部Ｌ１、Ｌ２は、ロック板６０がメインロックＬを行っていない後退位置にある際に当該ロック板６０を係合手段によってロックする第一の補助ロック部Ｌ１と、ロック板６０がメインロックＬを行っている前方位置にある際に当該ロック板６０を係合手段によってロックする第二の補助ロック部Ｌ２とを有する。
【００４２】
ロック板６０はメインロックＬを行うためのものであるとともに、ロック板６０自体が意図しない動作をしないように、本発明の補助ロック部Ｌ１、Ｌ２を有するものである。
ロック板６０は、ロック板本体６０ｃの一端に設けられるロック板軸穴６０ｅと、貫通孔（係合穴）として構成されるロック板係合部６０ａと、当該ロック板６０を手動で操作するための指掛部６０ｄと、上記主係合部３１と係合する（即ちメインロックＬを行う）ための係合縁部６０ｆとを備える。
【００４３】
前記ロック軸部６１は、メインロックＬを行うにあたりロック板６０を回動させるために必要であると共に、ロック板６０と同様に、本発明の補助ロック部Ｌ１、Ｌ２のための構成を兼ね備えた構成を有する。
前記ロック軸部６１は、第二構成部Ｓ２の下刃部４における第二の中子部４３と第二の刃まち部４４との間に形成される位置において、当該第二構成部Ｓ２に穿設された雌螺子穴４５に対して設置してある。
【００４４】
より具体的には、図３に示すように、ロック軸部６１は、拡径頭部６３ａを有する円筒部６５（かしめ脚）を軸として用いたものである。当該金属製筒体６４の外側に前記金属製筒体６４より長寸法の高さ（自然長）を有する弾性体６２（コイルスプリング）をその上端が前記ロック軸部６１の拡径頭部の下面に当接するように設け、更にロック軸部６１の下端側からロック板６１の前記ロック板軸穴６０ｅを通したうえで、前記円筒部６５の下端をロック板６１のロック板軸穴へ挿通し、かしめ固定することで設置できる。
このようにして実現された構造によって、弾性体６２（コイルスプリング）によりロック板へ向けて押圧力が保持される。
【００４５】
ロック板軸穴６０ｅの内径は、ロック軸部６１の外径より一定のクリアランスｔ１（図８参照。）を確保して大きく形成されている。ロック部６の操作の際に、ロック板６０を傾斜させるために当該クリアランスｔ１が必要となるためである。
【００４６】
本実施例において、構成部側係合部４２（突起）は第二構成部Ｓ２のうちロック軸部６１の近傍に設けてある。当該構成部側係合部４２の設置位置は、ロック板６０が閉刃状態でロックしている状態にあっては当該ロック板６０に当接する位置であり、かつ、ロック板６０がロック軸部６１を基準に回動した場合には、ロック板係合部６０ａ（係合穴）と係止可能となる位置である。
【００４７】
本実施例１においては、当該構成部側係合部４２はリベットによって構成されている。当該構成部側係合部４２の基端側裏面において加締め固定され、第二構成部Ｓ２と固着一体としている。また本実施例において、構成部側係合部４２の先端は全体に略半球面状としている。
【００４８】
本実施例においては、押し側の上刃部３と受け側の下刃部４によって押し切り構造となるアンビル刃を有している。当該上刃部３と下刃部４との開刃状態（例えば、図２（ａ）、図７（ａ）参照。）においては、構成部材係合部４２（突起）とロック板係合部６０ａ（係合穴）は係合した状態にある。
この状態においては、一方で、主係合部３１とロック板６０の係合縁部６０ｆとは係合しておらず、メインロックＬがされていないことから、上刃と下刃の開閉は制限されることがなく、切断作業を行うことができる。
【００４９】
本実施例においてロック板６０は、メインロックＬを行う構成の一部であるとともに第一の補助ロック部Ｌ１の構成の一部であるため、メインロックＬ（即ち、主係合部３１とロック板６０の係合縁部６０ｆとの係合）を行うためには、第一の補助ロック部Ｌ１を解除する必要がある。この第一の補助ロック部Ｌ１の解除は、メインロックＬ行う指でメインロックＬの操作とともに連続的に行える。
【００５０】
メインロックＬを行うための前提として、先ず、第一操作部１及び第二操作部２を片手で握持し、閉刃させる。この段階においては、ロック板６０を前方へ回動させようとしても、第一の補助ロック部Ｌ１によるロック（ロック板係合部６０ａである係合穴と構成部側係合部４２である突起が係合すること）がされている。
【００５１】
次いで、親指でロック板６０の指掛部６０ｄを側方へ押すと、（図５（ａ）、（ｂ）、図８（ａ）、（ｂ）参照。）、ロック板係合部６０ａである係合穴と構成部側係合部４２である突起とが離脱する。これによって第一の補助ロックが解除される。この状態でロック板６０を前方へ回動させることができる（図６、図９参照。）。この際にロック板６０は規制ガイド２０に沿って移動できる。
【００５２】
ロック板６０の前方への回動によって、主係合部３１とロック板６０の係合縁部６０ｆとの係合によるメインロックＬがされ、併せて、第二の補助ロック部Ｌ２として、構成部側係合部４２（突起）とロック板６０の係合後縁部６０ｂとが当接、係合する。即ち、メインロックＬが第一構成部Ｓ１と第二構成部Ｓ２の相対的な位置を固定し、第二の補助ロックは、メインロックＬを行うロック板６０自体が不用意に解除されないように固定する（図１（ｂ）、図２（ｂ）、図６（ｂ）、図７（ｂ）参照。）。
【００５３】
本実施例における第二の補助ロック部Ｌ２における係合とは、突起の球面に対して係合後縁部が押し込まれるように作用して係合している状態である。
この状態においては、メインロックＬによって閉刃状態が維持されることは勿論、第二の補助ロック部Ｌ２によってロック板６０が不用意に後方へ回動しないようになっている。
【００５４】
そして、ロックを解除して剪定鋏Ｓを使用するには、上記と逆手順を行うことで可能である。即ち、ロック板６０の指掛部６０ｄを側方へ移動させ、構成部側係合部４２（突起）からロック板６０の係合後縁部６０ｂ（ロック板係合部）を離脱させて第二の補助ロック部Ｌ２を解除し、後方へロック板６０を回動させることで、メインロックＬを解除する。そして、後方へ回動させたロック板６０の係合穴６０ａ（ロック板係合部）と、構成部側係合部４２（突起）とが係合されることで、第一の補助ロック部Ｌ１によるロックがかかることとなる。
【００５５】
また、剪定鋏Ｓを使用後に閉刃状態を保持し、メインロックＬを行うことなく鞘体へ収納した場合には、第一の補助ロック部Ｌ１によってロック板６０が係合固定されているため、鞘体から剪定鋏Ｓを取り出す際等には、鞘体に指掛部６０ｄが接触した程度では意に反するメインロックＬがされることがなく、鞘体から取り出した剪定鋏Ｓを即座に使用することができ、利便性を確保できる。
【００５６】
また、剪定鋏Ｓを使用後に閉刃状態として、メインロックＬをかけた状態としてから鞘体へ収納した場合には、第二の補助ロック部Ｌ２によってロック板６０が係合固定されているため、鞘体に収納する際等には、鞘体に指掛部６０ｄが接触した程度では意に反してロックが解除されることがなく、鞘体から取り出した剪定鋏Ｓは安全な閉刃状態が保持される。
【００５７】
そしてメインロックＬをかけ、若しくは解除するいずれの際においても、第二の補助ロック部Ｌ２はこれらの切換の一時のみ解除されるだけであり、ほぼ常にメインロックＬと補助ロックの二重のロック機構が発揮されることから、高い安全性が確保できる。
【００５８】
そして第二の補助ロック部Ｌ２の操作はメインロックＬの操作に併せて側方へ指掛部６０ｄを移動させるだけで足り、利便性を損なうこともない。
【００５９】
第一の補助ロックと第二の補助ロックはいずれも構成部側係合部４２として同一符号を付しているが、共通する一つの構成部側係合部であることを要しない。例えば、上記実施例においては、構成部側係合部４２である突起を一つ、係合穴を一つ設けるとともに、ロック板６０の係合後縁部６０ｂを利用する構成としたが、構成部側係合部４２である突起を二つ設け、突起に係合する部分が、開刃位置、閉刃位置の双方で異なる構成部側係合部４２である突起と係合させる構成とすることもできる。
また、例えば、係合穴６０ａ（ロック板係合部）を二つ設け、一つの突起に対して、開刃位置、閉刃位置の双方で異なる係合穴６０ａと係合させる構成とすることもできる。
【００６０】
一方で、上記実施例においては、構成部側係合部４２である突起を一つ、係合穴を一つ設けるとともに、ロック板６０の係合後縁部６０ｂを利用することにより、より部品点数、組立工数を低減させることでより低廉化を図ることができる点で優れたものとしている。
【００６１】
また上記実施例においては、上刃と第二構成部Ｓ２との間にロック機構を設けた構成とし、主として親指でロック板６０を操作する構成として開示したが、本発明は上記実施例に限定されるものではなく、例えば、下刃と第一構成部Ｓ１との間に同様のロック機構を設けた構成とし、例えば主として人差し指でロック板６０を操作する構成とすることもできる。
【００６２】
また上記実施例においては、ロック軸部６１は、拡径頭部６３ａを有する円筒部６５（かしめ脚）を軸として用いたものとしているが、本発明は、当該構成に限定されるものではない。
例えば、他の実施例として図１１に示すように、ロック軸部６１は、拡径頭部６３ａを有する雄螺子６３を軸として用いたものであり、当該ロック軸部６１の雄螺子６３の径（拡径頭部６３ａを除く）よりも若干大きい内径を有し，且つ、当該雄螺子６３よりも短い金属製筒体６４に、当該ロック軸部６１を通し、更に当該金属製筒体６４の外側に前記金属製筒体６４より長寸法の高さ（自然長）を有する弾性体６２（コイルスプリング）をその上端が前記ロック軸部６１の拡径頭部の下面に当接するように設け、更にロック軸部６１の下端側からロック板６０の前記ロック板軸穴６０ｅを通したうえで、前記第二構成部Ｓ２に穿設された雌螺子に当該ロック軸部６１の先端を螺合させることで設置することが可能である。
【００６３】
ここで、上記金属製筒体６４はコイルばねと雄螺子との接触を避けることで双方の摩耗を低減するものである。また弾性体６２（コイルスプリング）の高さが金属製筒体６４より長寸法とするのは金属製筒体６４が当該弾性体６２の圧縮変形の妨げとなることを防止するためである。
【００６４】
またロック軸部６１は、図１１における雄螺子６３を、拡径頭部６３ａを有し且つ軸の下端部にのみ雄螺子６３を備え、軸の中央部から拡径頭部６３ａに至る部分にかけては雄螺子を形成しない構成とすることができる。この場合には、前記図１１に示した金属製筒体６４を省略することが可能である。
【００６５】
当該構成によれば、上記実施例と比較して部品点数が増加する反面、雄螺子６３の締め込み下限によって、前記弾性体６２による押圧力を変更することができ、また、ロック軸部６１は螺合による取付としてあるので、部品の清掃、交換等が容易であり、メンテナンス性に優れたものとすることができる。
【００６６】
また上記実施例における構成部側係合部４２（突起）は、リベットの先端を加工して略半球面状（球冠形状）とし、更にその一部を研削し平面形状４２ａとしているが、本発明は当該形状に限定されるものではない。例えば、図１１に示すように、リベットの先端を略半球面状とすることも可能であるし、図１０に示すように、円柱状、球帯状等の定形的なものであってもよいし、その一部を変形させた構成等とすることも可能であり、設計事項の範囲で、種々の形状とすることが可能である。
【００６７】
また、構成部側係合部（突起）の他の実施例として、リベット４２及び取付穴４２０を用いずに、第二構成部Ｓ２を直接変形させて構成部側係合部４７を構成することもできる。例えば、図１２に示すように、下刃部４に対してプレス加工を行うことにより、突起を形成することもできる。当該構成によれば、部品点数、組立工数の低減を図ることができる利点がある。
【００６８】
また上記実施例においては、構成部側係合部４２を突起とし、ロック板係合部６０ａは係合穴として例示したが、本発明は当該構成に限定されるものではなく、いずれの一方を凸、他方を凹としてもよい。例えば、構成部側係合部４２に係合穴を形成し、ロック板係合部に突起を設けることもできる。
【００６９】
また上記実施例においてはアンビル刃の剪定鋏Ｓについて示したが、バイパス刃の剪定鋏Ｓの場合には、例えば、当該バイパス刃の最終的な閉刃位置において、メインロックＬを行う構成とし、当該メインロックＬを構成するロック板６０について同様に、第一の補助ロック及び第二の補助ロックを設けることによって、本発明の構成を実現することが可能である。
【００７０】
また本発明において、ロック板６０の側方向への傾斜若しくは移動について、「側方向」とは前後方向に対して厳密な垂直方向のみをいうのではなく、操作前の通常位置から側方向に向かう分力のベクトルが生じればよい趣旨である。このため本発明における当該「側方向」は、前後方向を加味して、側方より斜め前方、斜め後方、側方より斜め上方、側方より斜め下方等であってもよい。
【符号の説明】
【００７１】
ａ１      矢印（側方向）
ａ２      矢印（回動方向）
Ｌ        メインロック
Ｌ１      第一の補助ロック部
Ｌ２      第二の補助ロック部
Ｓ        剪定鋏
Ｓ１      第一構成部
Ｓ２      第二構成部
ｔ１      クリアランス
ｔ２      クリアランス
ｗ１      幅寸法
ｗ２      厚み寸法
１        第一操作部
１０      第一グリップ部
１１      第一接続部
１１０    第一間隙部
１１１    螺子固定用穴
１１２    接続用弾性体
２        第二操作部
２０      第二グリップ
２１      第二接続部
２１０    接続用弾性体
２２      第二間隙部
２２０    ロック板可動空間
２３      螺子固定用穴
２４      規制ガイド部
３        上刃部
３０      上刃体
３１      主係合部
３２      第一の中子部
３２０    取付穴
３３      第一の刃まち部
４        下刃部
４０      下刃体
４２      構成部側係合部（突起：リベット）
４２０    取付穴
４３      第二の中子部
４４      第二の刃まち部
４５      雌螺子穴（ロック軸部取付穴）
４６      ロック軸部取付穴
４７      構成部側係合部（プレス加工でロック手段と一体型とした突起）
５        主軸部
６        ロック部
６０      ロック板
６０ａ    係合穴（ロック板係合部）
６０ｂ    係合後縁部（ロック板係合部）
６０ｃ    ロック板本体
６０ｄ    指掛部
６０ｅ    ロック板軸穴
６０ｆ    係合縁部（メインロックに使用）
６１      ロック軸部
６１ａ    拡径頭部
６１ｂ    雄螺子
６２      弾性体（コイルスプリング）
６３      雄螺子
６３ａ    拡径頭部
６４      金属製筒体
６５      円筒部
７        主弾性部
８０      取付螺子
８１      ナット
【図１】
2020039297.tif 000003
【図２】
2020039297.tif 000004
【図３】
2020039297.tif 000005
【図４】
2020039297.tif 000006
【図５】
2020039297.tif 000007
【図６】
2020039297.tif 000008
【図７】
2020039297.tif 000009
【図８】
2020039297.tif 000010
【図９】
2020039297.tif 000011
【図１０】
2020039297.tif 000012
【図１１】
2020039297.tif 000013
【図１２】
2020039297.tif 000014